(57)【特許請求の範囲】
【請求項１】
複数の異なる通信方式で通信が可能であり、これら複数の異なる通信方式の中から、ユーザにより選択された通信方式を用いて通信を行うようにする情報通信端末であって、
前記複数の異なる通信方式は少なくとも電話通信と電子メール通信を含み、前記複数の異なる通信方式においてそれぞれ用いられる宛先情報を通信の相手先毎に記憶する総合宛先情報リストを保持する記憶手段と、
表示素子と、
ユーザにより選択された通信方式が電子メール通信である場合に、前記表示素子に宛先入力項目を含む情報入力画面を表示させる手段と、
前記情報入力画面において宛先などの情報を入力するための入力手段と、
前記情報入力画面の前記宛先入力項目に入力する宛先の情報を前記表示素子に表示するための指示を入力するための宛先リスト参照アイコンを前記情報入力画面とともに前記表示素子に表示するアイコン表示手段と、
ユーザにより選択された通信方式が前記電話通信である場合に、この場合には表示されない前記宛先リスト参照アイコンとは異なる所定の操作子が操作されると、前記総合宛先情報リストから、電話番号を含む宛先情報からなる宛先選択リストを生成して、この宛先選択リストのみを前記表示素子に表示し、ユーザにより選択された通信方式が電子メール通信である場合に、表示されている前記宛先リスト参照アイコンが操作されると、前記総合宛先情報リストから、電子メールアドレスを含む宛先情報からなる宛先選択リストを生成して前記表示素子に表示されている前記情報入力画面と共に表示する宛先選択リスト表示手段と
を備えることを特徴とする情報通信端末。
【請求項２】
前記通信方式は、ファクシミリ通信をさらに含み、
前記宛先選択リスト表示手段は、ユーザにより選択された通信方式がファクシミリ通信である場合に、前記宛先リスト参照アイコンが操作されると、ファクシミリ番号を含む宛先情報からなる宛先選択リストを生成して前記表示素子に表示されている前記情報入力画面と共に表示する
ことを特徴とする請求項１に記載の情報通信端末。
【請求項３】
前記表示素子に表示される前記宛先選択リストから宛先情報を選択する宛先選択手段と、
前記宛先選択手段により選択された前記宛先情報を、前記宛先入力画面において入力すべき宛先の情報とする手段と
を備えることを特徴とする請求項１に記載の情報通信端末。
【請求項４】
複数の異なる通信方式のうちから選択された１つの通信方式を用いて、メインの宛先に情報を送信するとともに、前記メインの宛先に送信した情報と同じ情報を１〜複数の他の宛先にも送信する機能を備えるものであって、
前記宛先入力画面においては、前記１〜複数の他の宛先の情報の入力が可能であるとともに、前記１〜複数の他の宛先用の宛先リスト参照キーを設け、
前記宛先入力画面が表示されているときに、前記１〜複数の他の宛先用の宛先リスト参照キーが操作された場合に、前記選択された１つの通信方式用の通信の宛先情報からなる前記宛先選択リストが生成されて、前記表示素子に表示され、前記宛先選択リストから前記宛先選択手段により、前記１〜複数の宛先情報とする宛先情報の選択がなされることを特徴とする請求項１に記載の情報通信端末。
【発明の詳細な説明】
【０００１】
【発明の属する技術分野】
この発明は、例えば、電話通信、ファクシミリ通信、電子メール通信などの複数の異なる通信方式で通信を行うことができる情報通信端末に関する。
【０００２】
【従来の技術】
最近、ＰＨＳ端末などの携帯無線通信端末の普及と、これら携帯無線通信端末を用いたデータ通信の伝送速度の高速化により、音声通信だけでなく、例えばテキストデータや画像データなどの種々のデータを無線通信するようにする無線データ通信サービスが注目されている。
【０００３】
例えば、ＰＨＳ端末を使用する例では、伝送速度が３２ｋビット／秒でのデータ通信が可能となり、アナログ電話回線でモデムを使用した場合の伝送速度の２８．８ｋビット／秒または３３．６ｋビット／秒と同程度の伝送速度となり、電子メールのやり取りや、ファクシミリ通信などが、携帯無線通信端末により屋外から行える環境が整ってきている。
【０００４】
【発明が解決しようとする課題】
ところで、電話通信、ファクシミリ通信、電子メール通信など、異なる通信方式で相手先と通信を行うことができる場合、相手先に通信の発信を行う際に使用する宛先情報は、各通信方式で異なる宛先情報を用いなければならない。
【０００５】
つまり、電話をかける場合には、相手先の電話端末に割り当てられた電話番号を用い、ファクシミリを送信する場合には、相手先のファクシミリ端末に割り当てられた電話番号（以下、この明細書ではファクシミリ番号という）を用いて目的の相手先に発信を行う。また、電子メールを送信する場合には、相手先に割り当てられた電子メールアドレスを用いて目的の相手先に対する電子メールを送信する。
【０００６】
このように、同じ相手先であっても、電話をかける場合、ファクシミリを送信する場合、電子メールを送信する場合とで異なる宛先情報を用いなければならず、これら複数の宛先情報を相手先ごとに覚えておかなければならない。そこで、携帯無線通信端末などの通信端末に、通信を行う可能性のある相手先毎に各通信方式で異なる宛先情報を記憶するようにしておき、必要に応じて読み出して、通信端末の表示画面に表示するなどして利用できるようにすることが考えられる。
【０００７】
しかし、この場合、１つの相手先に通信方式に応じて異なる複数の宛先情報が存在するので、用いる通信方式に応じて宛先情報を選択しなければならない。そこで、通信方式ごとの宛先情報のリストをそれぞれ作成して情報通信端末に記憶しておくことが考えられる。しかし、その場合には、通信方式に応じた宛先リストを同じ相手なのに複数個作らなければならず手間がかかる。
【０００８】
そこで、一人について、電話番号、ファクシミリ番号、電子メールアドレスのそれぞれを登録した総合宛先リストとしての電話帳リストを作成しておくようにすることが考えられる。しかし、相手先ごとに、電話番号と、ファクシミリ番号と、電子メールアドレスとからなる総合宛先リストとしての電話帳リストを表示するようにした場合には、電話番号とファクシミリ番号を間違えるなど、用いる通信方式に応じた宛先情報を間違えたり、用いる通信方式に応じた相手先の宛先情報が見つけにくいなどの問題が生じる。
【０００９】
特に携帯無線通信端末の場合には、携帯性をよくするため小型化が図られ、情報を表示するＬＣＤ（液晶ディスプレイ）などの表示画面は比較的小さい。このため、ＬＣＤなどの表示画面に、前述のように、多くの情報を表示するようにした場合には表示される情報が見づらくなり、目的の宛先情報がなかなか見つけられなかったり、表示すべき情報の全部を表示することができないなどするために目的とする相手先の宛先情報を見つけ出すのに時間や手間がかかる場合がある。
【００１０】
この発明は、以上の点にかんがみ、異なる通信方式に応じた宛先情報を間違えることなく、かつ、簡単に利用することができる情報通信端末を提供することを目的とする。
【００１１】
【課題を解決するための手段】
上記課題を解決するため、請求項１に記載の発明の情報通信端末は、
複数の異なる通信方式で通信が可能であり、これら複数の異なる通信方式の中から、ユーザにより選択された通信方式を用いて通信を行うようにする情報通信端末であって、
前記複数の異なる通信方式は少なくとも電話通信と電子メール通信を含み、前記複数の異なる通信方式においてそれぞれ用いられる宛先情報を通信の相手先毎に記憶する総合宛先情報リストを保持する記憶手段と、
表示素子と、
ユーザにより選択された通信方式が電子メール通信である場合に、前記表示素子に宛先入力項目を含む情報入力画面を表示させる手段と、
前記情報入力画面において宛先などの情報を入力するための入力手段と、
前記情報入力画面の前記宛先入力項目に入力する宛先の情報を前記表示素子に表示するための指示を入力するための宛先リスト参照アイコンを前記情報入力画面とともに前記表示素子に表示するアイコン表示手段と、
ユーザにより選択された通信方式が前記電話通信である場合に、この場合には表示されない前記宛先リスト参照アイコンとは異なる所定の操作子が操作されると、前記総合宛先情報リストから、電話番号を含む宛先情報からなる宛先選択リストを生成して、この宛先選択リストのみを前記表示素子に表示し、ユーザにより選択された通信方式が電子メール通信である場合に、表示されている前記宛先リスト参照アイコンが操作されると、前記総合宛先情報リストから、電子メールアドレスを含む宛先情報からなる宛先選択リストを生成して前記表示素子に表示されている前記情報入力画面と共に表示する宛先選択リスト表示手段と
を備えることを特徴とする。
【００１２】
この請求項１に記載の情報通信端末によれば、記憶手段には、例えば、電話番号、ファクシミリ番号、電子メールアドレスなどの異なる通信方式おいて用いられる宛先情報が相手先毎に記憶されて形成された総合宛先情報リストが保持される。
【００１３】
ユーザにより選択された通信方式が前記電話通信である場合に、この場合においては表示されない宛先リスト参照アイコンとは異なる所定の操作子が操作されると、宛先選択リスト表示手段により、記憶手段の総合宛先情報リストから、電話番号を含む宛先情報からなる宛先選択リストが生成され、この宛先選択リストのみが表示素子に表示され、また、ユーザにより選択された通信方式が電子メール通信である場合に、アイコン表示手段により表示される宛先リスト参照アイコンが操作されると、電子メールアドレスを含む宛先情報からなる宛先選択リストが生成されて宛先等を入力するための情報入力画面と共に表示素子に表示される。
【００１４】
例えば、電話通信が可能な状態にあるときに、宛先リスト参照アイコンとは異なる所定の操作子が操作されると、相手先の名前と電話番号とからなる電話番号一覧リストが宛先選択リストとして表示素子に表示される。また、電子メール通信の宛先入力画面において宛先リスト参照アイコンが操作されると、相手先の名前と電子メールアドレスとからなる電子メールアドレス一覧リストが宛先選択リストとして表示素子に表示される。
【００１５】
この宛先選択リストを通じて、通信を行おうとする目的とする相手先の宛先情報が検索され、検索の結果得られた宛先情報が入力手段を通じて宛先入力画面において入力すべき情報として入力される。
【００１６】
このように、選択された通信方式に応じた目的とする通信の宛先情報を、選択された通信方式に応じて生成され、表示手段に表示される宛先選択リストを用いて入力することができるようにされる。これにより、異なる通信方式の宛先情報と間違えることなく、また、時間や手間をかけることなく、目的とする相手先の宛先情報を検索し、検索して得た宛先情報を入力して利用することができるようにされる。
【００１７】
また、請求項３に記載の発明の情報通信端末は、請求項１に記載の情報通信端末であって、
前記表示素子に表示される前記宛先選択リストから宛先情報を選択する宛先選択手段と、
前記宛先選択手段により選択された前記宛先情報を、前記宛先入力画面において入力すべき宛先の情報とする手段と
を備えることを特徴とする。
【００１８】
この請求項３に記載の情報通信端末によれば、宛先選択手段により、表示素子に表示された宛先選択リストから選択された宛先情報が、宛先入力画面において宛先の情報とされる。
【００１９】
このように、ユーザにより選択された通信方式に応じて生成されて表示される宛先選択リストを通じて、宛先選択手段により選択された宛先情報が宛先入力画面において入力すべき宛先の情報として用いることができるようにされる。これにより、異なる通信方式の宛先情報を誤って使用することなどがなく、また、宛先情報自体を一々ユーザが入力することもなく、目的の宛先情報を迅速に検索し、検索して得た宛先情報を用いて目的とする相手先と通信するようにすることができるようにされる。
【００２０】
また、請求項４に記載の発明の情報通信端末は、請求項１に記載の情報通信端末であって、
複数の異なる通信方式のうちから選択された１つの通信方式を用いて、メインの宛先に情報を送信するとともに、前記メインの宛先に送信した情報と同じ情報を１〜複数の他の宛先にも送信する機能を備えるものであって、
前記宛先入力画面においては、前記１〜複数の他の宛先の情報の入力が可能であるとともに、前記１〜複数の他の宛先用の宛先リスト参照キーを設け、
前記宛先入力画面が表示されているときに、前記１〜複数の他の宛先用の宛先リスト参照キーが操作された場合に、前記選択された１つの通信方式用の通信の宛先情報からなる前記宛先選択リストが生成されて、前記表示素子に表示され、前記宛先選択リストから前記宛先選択手段により、前記１〜複数の宛先情報とする宛先情報の選択がなされることを特徴とする。
【００２１】
この請求項４に記載の情報通信端末によれば、メインの宛先とは別に、メインの宛先と同じ情報を送信する１〜複数の他の宛先が宛先入力画面を通じて入力することができるようにされる。この宛先選択画面が表示されているときに、前記１〜複数の他の宛先用の宛先リスト参照キーが押下されると、ユーザによって選択されている通信方式に応じ、記憶手段に記憶されている総合宛先情報リストから生成される宛先選択リストが表示素子に表示される。
【００２２】
この宛先選択リストを通じて、宛先選択手段により、メインの宛先と同じ情報を送信しようとする１〜複数の他の宛先の情報が選択されると、選択された１〜複数の他の宛先の宛先情報が、宛先選択画面において入力される１〜複数の宛先の情報とされる。
【００２３】
このように、メインの宛先と同じ情報を送信するようにされる１〜複数の他の宛先についても、ユーザにより選択された通信方式に応じ、記憶手段に記憶されている総合宛先情報リストから生成されて表示される宛先選択リストを通じて、選択し、宛先入力画面に入力する情報として用いられる。
【００２４】
これにより、メインの宛先と同じ情報を送信するようにされる１〜複数の他の宛先についても、異なる通信方式の宛先情報を誤って使用することもなく、また、宛先情報自体を一々ユーザが入力することもなく、宛先選択リストから選択された１〜複数の宛先の宛先情報を用いて、メインの宛先に送信した情報と同じ情報を送信することができるようにされる。
【００２５】
【発明の実施の形態】
以下、この発明による情報通信端末の一実施の形態を、図を参照しながら説明する。以下に説明する実施の形態の携帯無線通信端末は、電話通信、ファクシミリ通信、電子メール通信など、異なる通信方式で通信を行うことができるようにされたものである。
【００２６】
そして、この実施の形態の携帯無線通信端末は、図３に示すように、この携帯無線通信端末を用いて電話をかけたり、ファクシミリデータを送信したり、あるいは、電子メールデータを送信したりする可能性のある通信の相手先の名前、電話番号、ファクシミリ番号、電子メールアドレスからなる総合宛先情報リストの情報（以下、電話帳データという）を記憶するメモリを備えている。
【００２７】
このメモリに記憶された電話帳データは、この実施の形態の携帯無線通信端末を用いて、電話をかける場合、あるいは、ファクシミリデータや電子メールデータを送信したりする場合に用いられる。この電話帳データを用いることにより、携帯無線通信端末の使用者は、相手先の電話番号、ファクシミリ番号、電子メールアドレスといった宛先情報を一々入力することなく、電話を掛けたり、ファクシミリデータや電子メールデータを送信したりすることができるようにされている。
【００２８】
しかし、電話通信、ファクシミリ通信、電子メール通信等のいづれを行うかにより、発信に用いる電話番号、ファクシミリ番号、電子メールアドレスなどの宛先情報が異なる。このため、この実施の形態に携帯無線通信端末は、電話帳データから、使用者が用いようとしている通信方式を携帯無線通信端末の状態により判別し、判別した通信方式に応じた宛先情報の一覧リストである宛先選択リストを形成して表示する機能を備える。
【００２９】
そして、通信方式に応じて形成された宛先選択リストを用いることによって、電話番号、ファクシミリ番号、電子メールアドレスなどの宛先情報を一々入力することなく、迅速かつ正確に、用いる通信方式に応じた目的とする相手先の宛先情報を検索し、利用することができるようにされている。
【００３０】
図１は、この実施の形態の携帯無線通信端末（以下、単に端末という）１の外観の一例であり、また、図２は、この端末１の内部回路構成の一例である。前述もしたように、この例の端末１は、電話機能と、ファクシミリ通信および電子メール通信、情報提供サービスを受けるデータ通信機能を備える複合端末の構成を有するものである。
【００３１】
この実施の形態の端末１は、図１（Ａ）および図１（Ｂ）に示すように、端末本体１００に対して開閉可能のカバーパネル１０１を備え、このカバーパネル１０１を閉じた図１（Ａ）の状態では、電話端末として動作する電話モードになり、カバーパネル１０１を開いた図１（Ｂ）の状態では、ファクシミリ通信機能と、電子メール通信機能と、情報提供サービス受信機能とを得ることができるデータ通信モードになる。このモード切り換えのために、図示しないが、カバーパネル１０１の開閉を検知するセンサが設けられている。
【００３２】
このセンサとしては、例えばカバーパネル１０１の内側に突起を設けると共に、これと対応する本体１００側の位置に押圧スイッチを設け、カバーパネル１０１の前記突起により、機械的に本体１００側の押圧スイッチを押圧する機械的なセンサを用いる。
【００３３】
また、カバーパネル１０１と本体１００との一方に、磁石を設け、他方に感磁性素子からなるスイッチを設ける構成のセンサスイッチを用いるようにしてもよい。
【００３４】
また、カバーパネル１０１の前面には、図１（Ａ）に示すように、通話キーＴＫ、切断キーＳＫが設けられている。これら通話キーＴＫ、切断キーＳＫは、カバーパネル１０１が閉じられた図１（Ａ）の状態にあるときに主に用いられる。
【００３５】
カバーパネル１０１の表側には、図１（Ａ）に示すように、電話用（ダイヤル用）のテンキー１０２が設けられている。１０３は、ＰＨＳ用のアンテナである。
【００３６】
そして、端末１は、図１（Ｂ）に示すように、カバーパネル１０１を開けた状態のときに現れる本体１００側の面に、大型のＬＣＤ（液晶ディスプレイ）１０５を備え、このＬＣＤ１０５の表示面に、通信文、機能一覧メニュー、提供情報一覧リスト、受信ファクシミリの受信リストや電子メールの受信リストなどを表示することができる。メニューやリストが一画面で表示できないときには、画面をスクロールしたり、次ページに切り換えることで全部が表示できるようにされている。また、前述した電話帳データの入力、修正、削除などもこのＬＣＤ１０５に情報を表示して行うことができるようにされている。
【００３７】
カバーパネル１０１を閉じた図１（Ａ）の状態では、例えば透明プラスチック板などからなるＬＣＤ窓１０４を通じてＬＣＤ１０５の表示面が臨めるようにされる。この場合、カバーパネル１０１を閉じた状態では、ＬＣＤ表示窓１０４から臨める部分だけに表示が行われるように、ＬＣＤ１０５が表示制御されている。
【００３８】
この実施の形態の端末１においては、ＬＣＤ１０５の表面には透明のタッチパネル１０６が貼付されており、カバーパネル１０１の裏側に、図１（Ｂ）のように取り外し自在に取り付けられているペン１０７によるタッチ操作や、手書き文字入力を受け付ける機能を備えるようにしている。
【００３９】
また、カバーパネル１０１の裏側には、オンライン接続キーＫ１、未受信一括キーＫ２、機能／設定キーＫ３、メモ機能キーＫ４、電話帳機能キーＫ５、ＷＷＷブラウザ機能キーＫ６、ファクシミリ通信機能キーＫ７、電子メール通信機能キーＫ８などの複数個のキー釦１０８が、ダイレクトキーとして設けられている。
【００４０】
さらに、ＬＣＤ１０５の右横には、回動キーと押しボタンキーとの２つの機能を合わせ持つジョグダイヤルキー１０９が設けられる。このジョグダイヤルキー１０９を回動キーとして回動操作したときには、例えばメニューなどにおける項目選択動作が行え、また、押しボタンキーとして押下操作したときには、選択された項目の決定入力を意味するものとして扱われる。
【００４１】
また、ジョグダイヤルキー１０９は、後述もするように、端末１が電話モードにあるときに、ＬＣＤ１０５に電話番号リストを表示することを要求するリスト参照キーとして用いられるとともに、ＬＣＤ１０５に表示される電話番号リストの中から電話を掛ける相手先の電話番号を選択して、決定する場合にも用いられる。
【００４２】
すなわち、図１（Ａ）に示したように、カバーパネル１０１を本体１００に対して閉じられ、この携帯無線通信端末が電話モードとされて、待ち受け状態にあるときに、ジョグダイヤルキー１０９が押下操作されると、ＬＣＤ１０５のＬＣＤ窓１０４から望める表示領域に、この実施の形態に携帯無線通信端末のメモリに記憶されている電話帳データに基づいて、電話帳データのうちの名前と電話番号とからなる電話番号リストを前記名前の五十音順に、先頭のあ行から順に表示するようにする。
【００４３】
電話番号リストが表示された後、ジョグダイヤルキー１０９を回動キーとして回動操作したときには、電話番号リストの表示をスクロールさせて、通信先を選択する操作が行え、また、押しボタンキーとして押下操作したときには、選択した通信先の決定入力を意味するものとして扱われる。
【００４４】
次に、図２の端末１の回路ブロックについて説明する。
この例の端末１は、大きく分けて、通信機能部１１０と、制御部１２０とからなる。
【００４５】
通信機能部１１０は、アンテナ１１１と、ＲＦ処理部１１２と、送受信データ処理部１１３と、マイクロホンアンプ１１４と、スピーカアンプ１１５と、マイクロホン１００ＭＣと、スピーカ１００ＳＰとからなる。
【００４６】
制御部１２０は、マイクロコンピュータにより構成されており、ＣＰＵで構成されるシステムコントロール部１２１と、ＲＯＭ１２２と、ＤＲＡＭ１２３と、書き換え可能な不揮発性メモリとしてのフラッシュメモリ１２４とを備えている。
【００４７】
システムコントロール部１２１には、カバーパネル１０１の開閉に応じてオン・オフするスイッチＳＷが接続されており、このスイッチＳＷのオン・オフにより、カバーパネル１０１が開状態か、閉状態かをシステムコントロール部１２１は検知し、カバーパネル１０１が閉状態のときには、当該端末１を電話用端末として制御する。また、カバーパネル１０１が開状態のときには、当該端末１を情報通信端末や、ファクシミリ通信用端末あるいはメール通信用端末として制御する。
【００４８】
システムコントロール部１２１には、また、テンキー１０２のキースイッチ群や、カバーパネル１０１の裏側に設けられたキー釦１０８のスイッチ群の状態を示す情報が入力されるようにされており、システムコントロール部１２１は、使用者によりキー操作がなされたとき、それがテンキー１０２やキー釦１０８のいずれかであるかを検知し、その検知したキーに応じた処理を実行するようにする。
【００４９】
また、システムコントロール部１２１には、ＬＣＤドライバ１２５が接続され、後述するＲＯＭ１２２のプログラムおよび表示データを用いてＬＣＤ１０５に、提供された情報を表示したり、その他の表示画像を表示するようにする。
【００５０】
また、システムコントロール部１２１には、使用者への、電話の着信通知や、ファクシミリおよびメールの着信通知などのためのブザー１２７やＬＥＤ（発光ダイオード）１２６が接続されている。
【００５１】
ＲＯＭ１２２には、通信路を接続のためのシーケンスを制御するプログラムや、電話通信のための制御プログラム、情報提供サービスを受けるための制御プログラム、ファクシミリ送信のための制御プログラム、メール送信のための制御プログラム、ファクシミリデータやメールデータを受信するための制御プログラムなどの端末１での通信のために最低限必要な通信アプリケーションプログラムと、ＬＣＤ１０５を表示制御するプログラムやメニューなどの表示データ、その他が記憶されている。
【００５２】
ＤＲＡＭ１２３は、後述するように、取得した受信データを一時的に蓄えたり、その他、ワークエリアとして使用するメモリを領域を備えるものである。
【００５３】
フラッシュメモリ１２４は、前述の電話帳データが記憶される領域を有し、この実施の形態においては、最大で２００件の電話帳データを記憶することができるようにされている。また、フラッシュメモリ１２４には、ＤＲＡＭ１２３に一時的に蓄えた受信データの内の、特に保存しておきたいデータを格納する領域や、端末１の使用者により入力された電子メールデータ、またメモ機能が用いられて入力された手書きメモ情報やタイプメモ情報などの記憶領域なども設けられている。
【００５４】
［端末１の動作について］
以上のような構成を備える端末１の動作を、関連する共通サーバ装置の動作も含めて、以下に説明する。前述したように、この実施の形態の携帯無線通信端末は、カバーパネル１０１の開閉に応じて電話端末として動作する電話モードと、データ通信端末として動作するデータ通信モードとを有する。
【００５５】
［電話モード時の動作］
まず、電話端末として動作する電話モードについて説明する。カバーパネル１０１を閉じた状態で、カバーパネル１０１に設けられている通話キーＴＫを押下し、テンキー１０２を用いて、相手方の電話番号をダイヤル入力すると、発呼がなされる。また、カバーパネル１０１を閉じた状態で、電話端末としての当該携帯無線通信端末に電話の着信があると、それがブザー１２７により使用者に知らされ、通話キーＴＫを押下して使用者が応答すると、その電話着信を受けることができ、通話状態になる。
【００５６】
また、前述にもしたように、この実施の形態の携帯無線通信端末は、電話帳機能を備えており、カバーパネル１０１を閉じた状態で、ジョグダイヤルキー１０９を押下すると、フラッシュメモリ１２４に記憶されている電話帳データに基づいて、通信先の名前と電話番号との一覧表である電話番号リストが、ＬＣＤ窓１０４から観視可能なＬＣＤ１０５の表示面に表示される。
【００５７】
そして、ジョグダイヤルキー１０９を回動操作することにより、電話番号リストを行スクロールさせて、電話を掛ける相手先の電話番号を選択し、ジョグダイヤルキー１０９を押下することにより決定すると、この実施の形態の携帯無線通信端末は、ジョグダイヤルキー１０９により選択、決定された電話番号が用いられて自動ダイヤルが行われ、発呼がなされる。
【００５８】
このように、この実施の形態に携帯無線通信端末は、電話を掛ける相手先の名前と電話番号とを、この携帯無線通信端末に登録しておくことにより、電話番号リストを表示し、電話を掛ける相手先の電話番号を選択して発呼に用いることができる。
【００５９】
なお、カバーパネル１０１を開いた状態で電話着信があったときには、本体１００に設けられている通話キーＴＫを押すことにより、いつでも通話が可能である。ただし、通話は、カバーパネル１０１を閉じた状態で行うようにする。
【００６０】
そして、携帯無線通信端末は、この電話通話時には、システムコントロール部１２１からの制御を送受信データ処理部１１３が受けながら、送話信号を送信し、また、受話信号を受信する。
【００６１】
すなわち、マイクロホン１００ＭＣからの音声信号がアンプ１１４を介して送受信データ処理部１１３に供給されて送信データに変換され、ＲＦ処理部１１２を通じ、アンテナ１１１を通じて無線基地局６に対して送信されると共に、無線基地局６よりの相手側からの通話音声のデータがアンテナ１１１で受信され、その受信データが送受信データ処理部１１３で処理されて、相手の通話音声信号が復元され、それがアンプ１１５を通じてスピーカ１００ＳＰに供給されて放音される。
【００６２】
［データ通信モード時の動作］
次に、データ通信モードについて説明する。このデータ通信モードにおいては、ファクシミリ機能、電子メール機能、ＷＷＷブラウザ機能、メモ機能などを端末１では、実現できるように構成されている。これらの各機能は、端末１のカバーパネル１０１の裏側に設けられた、各機能を実行するためのダイレクトキーを押下することにより、端末１は、その機能を実行するモードの状態になる。
【００６３】
メモ機能には、ペン１０７とタッチパネル１０６とを用いて入力を行う「手書きメモ」と、ＬＣＤ１０５の画面にキーボードを表示して、その表示キーボードを利用して文書を作成する「タイプメモ」とがある。そして、手書きメモとタイプメモのいずれの場合も、作成したイメージまたは文書をファクシミリデータとして送信できるように構成されている。
【００６４】
すなわち、手書きメモまたはタイプメモのいずれのモードの場合においても、ＬＣＤ１０５の画面上には、「ＦＡＸ送信（ファクシミリ送信）」のアイコンを含むメニューバーが表示され、この「ＦＡＸ送信」のアイコンが例えばペンで選択されると、送信すべき相手方端末の電話番号や、ファクシミリタイトルなどの入力モード画面になる。そして、相手方端末の電話番号やタイトルの入力後、このモードのときに表示されている「送信」のアイコンを選択すると、手書きメモあるいはタイプメモで作成されたイメージまたは文書がファクシミリデータとして送信される。
【００６５】
［電話帳データの入力などについて］
このように、この端末１の使用者は、端末１を通じて、電話通信、ファクシミリ通信、電子メール通信を行うことができるとともに、情報提供サービスをも受けることができるようにされている。そして、前述もしたように、この端末１を用いて、電話をかけたり、ファクシミリデータを送信したり、電子メールデータを送信したりする可能性のある相手先については、その相手先の名前、電話番号、ファクシミリ番号、電子メールアドレスを電話帳データとして、端末１のフラッシュメモリ１２４に登録することができるようにされている。
【００６６】
このように、通信を行う可能性のある相手先の電話番号、ファクシミリ番号、電子メールアドレスなどの宛先情報を端末１に登録しておくことにより、アドレス帳などをめくり、相手先の宛先情報をテンキー１０２や後述するソフトウエアキーボードを用いて直接入力することなく、登録されている宛先情報を用いて通信の発信を行うことができるようにされている。
【００６７】
そして、この実施の形態において、端末１は、カバーパネル１０１を本体１００に対して開いた状態にあるデータ通信モードのときに、通信を行う可能性のある相手先の名前、電話番号、ファクシミリ番号、電子メールアドレスからなる電話帳データの新規入力、既に入力されている電話帳データの修正、削除などの電話帳データの保守を行うことができるようにされている。
【００６８】
この実施の形態の端末１においては、データ通信モード時に、カバーパネル１０１の裏側にダイレクトキーとして設けられている電話帳機能キーＫ５を押下することにより、電話帳機能が実行される。
【００６９】
電話帳機能キーＫ５が押下されると、システムコントロール部１２１はこれを検知して、フラッシュメモリ１２４に記憶されている電話帳データを読み出し、名前の五十音順に、名前、電話番号、ファクシミリ番号、電子メールアドレス、チェック欄などからなる電話帳データの一覧表である電話帳リストを表示する。
【００７０】
図３は、電話帳機能キーＫ５が押下された場合に、この実施の形態の端末１において表示される電話帳リストを説明するための図である。この場合、ＬＣＤ１０５の上側部分には、機能表示２０１、画面の名称表示２０２が表示される。この場合には、機能表示２０１として、電話帳機能が実行されていることを示す絵記号が表示され、画面の名称表示２０２として、電話帳リストが表示されていることを示す「電話帳」という文字が表示される。
【００７１】
また、この状態において実行可能な処理に対応して、ユーザが選択することができるようにされたアイコンボタンキー（以下、端にアイコンという）が表示される。この電話帳リストの表示画面においては、［見る］アイコン３０１、［新規］アイコン３０２、［削除］アイコン３０３、［通話］アイコン３０４が表示されている。また、画面右端には、電話帳データをスクロールさせる場合に用いる上スクロールアイコン２０３、下スクロールアイコン２０４が表示されている。
【００７２】
そして、ＬＣＤ１０５上に設けられたタッチパネル１０６の［新規］アイコン３０２が表示されている位置のタッチパネル１０６にペン１０７を接触させると、図４に示すように、電話帳データの新規入力画面となり、電話帳データの新規入力が可能となる。
【００７３】
この実施の形態においては、電話帳データの新規入力画面は、図４に示すように、画面の名称表示２０２が、電話帳データの新規入力画面であることを示す「電話帳／新規」という表示に変わり、選択可能なアイコンとして、［登録］アイコン４０１、［登録→新規］アイコン４０２、［中止］アイコン４０３を有している。
【００７４】
また、電話帳データの新規入力画面は、通信の相手先となる対象の名前の「よみがな」の入力欄、「名前」の入力欄、「電話番号」の入力欄、「ファクシミリ番号」（図では「ＦＡＸ番号」と記載）の入力欄、「電子メールアドレス」の入力欄を備えたものである。
【００７５】
さらに、この電話帳データの新規入力画面においては、図４に示すように、電話帳データの新規入力画面の各入力欄に情報を入力するためのソフトウエアキーボード５０１Ａが表示される。このソフトウエアキーボード５０１Ａを構成するキーの表示位置のタッチパネル１０６にペン１０７を接触させると、その選択したキーに対応する処理を実行させたり、選択されたキーに割り当てられた文字、数字、記号を入力することができるようにされる。
【００７６】
また、この実施の形態において、ソフトウエアキーボードは、英数入力、５０音入力、ローマ字入力、手書き入力、記号入力など、複数の入力モードを備え、選択された入力モードに応じた入力キーを備えたソフトウエアキーボードを表示することができるようにされている。
【００７７】
このような入力モードの変更は、ソフトウエアキーボードに表示された、英数キー、５０音キー、ローマ字キー、手書キー、記号キーを選択することにより、目的とする入力モードを変更することができるようにされている。なお、図４に示したソフトウエアキーボード５０１Ａは、５０音モード時のソフトウエアキーボードである。
【００７８】
さらに、このソフトウエアキーボードには、半角キーや小文字キーが設けられており、半角文字や小文字の入力ができるようにされている。また、取消キー、後退キー、変換キー、入力キー、スペースキー、改行キーが設けられ、これらのキーに割り当てられた処理を行うことができるようにされている。
【００７９】
そして、この実施の形態の端末１において、ソフトウエアキーボードを用いることにより、電話帳データを構成する各情報は以下のように予め決められた文字数分入力することができる。「よみがな」は、全角ひらがなで１０文字、「名前」は、全角漢字で１０文字または半角英数字で２０文字、「電話番号」は、半角数字３０文字および−、（、）、スペース、「ＦＡＸ番号」は、電話番号と同様に、半角数字３０文字および−、（、）、スペース、「電子メールアドレス」は、半角英数および記号で６０文字の入力が可能とされている。また、図示しないが、「備考」として、全角４０文字が相手先ごとに入力することができるようにされている。この「備考」は、半角文字の混在も可能とされている。
【００８０】
このように、図３に示した電話帳リストの画面において、［新規］アイコンを選択することにより、図４に示した電話帳データの新規入力画面を表示し、ソフトウエアキーボードを通じて、随時に新たな電話帳データを端末１のフラッシュメモリ１２４に記憶させることができるようにされている。
【００８１】
また、図３に示した電話帳リストの画面において、目的とする相手先の電話帳データの表示位置上のタッチパネル１０６にペン１０７を接触させることにより、電話帳データを選択し、［見る］アイコン３０１を選択すると、選択した電話帳データを、例えば、図４に示した電話帳データの新規入力画面の場合と同様に単独で表示し、入力済みの電話帳データの修正を行うことができる。
【００８２】
なお、目的とする相手先の電話帳データの表示位置上のタッチパネル１０６にペン１０７を接触させることにより電話帳データを選択した場合には、選択された電話帳データのチェック欄が選択されたデータであることを示す表示に変わり、どのデータが選択されたかを明確に表示することができるようにされている。
【００８３】
このように、この端末１の場合には、複数行分表示される各行の情報を見易く表示するため、１行おきに反転表示させるなどのことを行うため、選択されたデータの行を反転表示させるなどした場合には、表示されたデータが隣接する行のデータと見間違う可能性があるため、上述したように、チェック欄を用いて選択されたデータを明確に通知することができるようにされている。
【００８４】
また、同様に、目的とする電話帳データの表示位置のタッチパネル１０６にペン１０７を接触させることにより電話帳データを選択した後に、［削除］アイコン３０３を選択した場合には、選択した電話帳データをフラッシュメモリ１２４から削除することができるようにされている。また、目的とする電話帳データの表示位置のタッチパネル１０６にペン１０７を接触させることにより電話帳データを選択した後に、［通話］アイコン３０４を選択した場合には、選択された電話帳データの電話番号を用いて、データ通信モードの状態から、発呼することができるようにされている。
【００８５】
また、電話帳リストが表示された状態で、ジョグダイヤルキー１０９を回動させて目的とする電話帳データを選択し、ジョグダイヤルキー１０９を押下することにより、修正したり、削除したり、あるいは、電話をかける相手先を選択した後に、目的とする処理に対応するアイコンを選択することによっても、電話帳データの修正処理や削除処理、あるいは、電話帳データを用いた発呼処理を行うことができる。
【００８６】
このように、電話帳機能を用いて、この実施の形態の端末１の使用者は、随時に、電話を掛ける可能性のある相手先や、ファクシミリデータや電子メールデータを送信する可能性のある相手先の宛先情報を電話帳データとしてフラッシュメモリ１２４に登録したり、登録した電話帳データを変更したり、削除するなどの処理を行うことができるようにされている。
【００８７】
そして、この実施の形態に端末１においては、電話をかける場合、ファクシミリを送信する場合、電子メールを送信する場合には、端末１のフラッシュメモリ１２４に登録された電話帳データを用いて、各通信方式に応じた宛先選択一覧リストを形成して表示し、この宛先選択リストを通じて宛先を選択し、選択された宛先の宛先情報を用いて発信することができるようにされている。
【００８８】
以下、電話通信、ファクシミリ通信、電子メール通信の各通信方式を用いて通信を行う場合に、各通信方式に応じて形成される宛先選択一覧リストを用いた宛先情報の選択処理について説明する。
【００８９】
［電話通信の場合の宛先選択一覧リストについて］
この実施の形態の端末１は、カバーパネル１０１が本体１００に対して閉じた状態にあるときには電話モードとされ、このとき、ジョグダイヤルキー１０９を押下すると、システムコントロール部１２１は、フラッシュメモリ１２４に記憶されている電話帳データのうちの相手先の名前と電話番号との一覧表である電話番号リストを形成し、図５に示すようにＬＣＤ窓１０４から観視可能なＬＣＤ１０５の表示面に表示する。
【００９０】
この通信先の名前と電話番号とからなる図５に示した電話番号リストが、電話通信を行う場合の宛先選択一覧リストである。また、この電話番号リストを表示する場合には、ジョグダイヤルキー１０９の押下が宛先リスト参照キーとしての役割を有するようにされている。
【００９１】
この実施の形態において、この電話番号リストは、図５に示すように、名前の五十音の行の先頭文字の表示欄６０１と、通信の相手先の名前を表示する名前表示欄６０２と、通信の相手先の電話番号を表示する電話番号表示欄６０３とからなる。
【００９２】
そして、この実施の形態において、端末１が電話モードとされて待ち受け状態にあるときに、ジョグダイヤルキー１０９の押下により表示される電話番号リストは、図５に示すように、通信先の名前の五十音順に「あ」行から表示される。なお、この実施の形態の端末１の場合には、一番最後に電話を掛けた相手先の電話番号が、直接入力しなくてもリダイヤル可能な電話番号が表示され、リダイヤルすることができるようにされる。
【００９３】
また、電話番号リストを表示した場合に、カーソル６０４が表示される。このカーソル６０４は、ジョグダイヤルキー１０９を回動操作することに上下方向に移動させることができるようにされている。
【００９４】
そして、カーソル６０４が、図５に示す画面の最上端の行に位置するときに、さらに上側方向にジョグダイヤルキー１０９を回動操作したときには、電話番号リストを上側方向にスクロールさせ、カーソル６０４が、図５に示す画面の最下端の行に位置するときに、さらに下側方向にジョグダイヤルキー１０９を回動操作したときには、電話番号リストを下側方向にスクロールさせることができるようにされている。
【００９５】
このように、ジョグダイヤルキー１０９を回動操作することにより、電話番号リストをスクロールさせるなどして、電話をかける相手先の名前と電話番号を表示させた後、カーソル６０４をその電話をかける相手先の電話番号の表示位置に合わせ、ジョグダイヤルキー１０９を押下することにより、カーソル６０４に指示された位置の電話番号が発信に用いられる電話番号として決定され、この決定された電話番号が単独で表示される。そしてさらにジョグダイヤルキー１０９を押下することにより、決定された電話番号を用いて自動発呼が行われる。
【００９６】
これにより、目的とする相手先の電話番号が電話帳データとして登録されていれば、端末１の使用者は、電話番号をテンキー１０２を用いて入力することなく、登録されている電話番号を用いて発呼することができる。
【００９７】
また、電話番号リストは、この実施の形態の端末１が、電話をかけることができる電話モードにあるときに、ジョグダイヤルキー１０９が押下された場合に表示され、相手先の名前と電話番号とからなるものである。つまり、電話番号リストには、電話をかける場合には不要なファクシミリ番号および電子メールアドレスは表示されない。
【００９８】
このように、電話番号リストには、不要な情報が表示されないので、端末１の使用者は、電話番号リストを通じて、電話をかける相手先の電話番号を迅速に探し出して選択し、選択した相手先の電話番号を用いて発呼することがきる。また、異なる通信方式の宛先情報を選択してしまったり、電話番号を入力し間違えるなどということも防止することができる。
【００９９】
なお、電話番号リストは、端末１のカバーパネル１０１が本体１００に対して閉じられている状態にある電話モード時にジョグダイヤルキー１０９が押下操作された場合に表示するものとして説明したが、カバーパネル１０１が本体１００に対して開かれた状態にあるデータ通信モード時においても、相手先の名前と電話番号とからなる電話番号リストを表示するようにすることもできる。
【０１００】
例えば、電話通信以外の通信方式で通信する他の機能が実行されていない時に、ジョグダイヤルキー１０９が押下された場合には、電話番号リストを表示するようにすることができる。
【０１０１】
［電子メール通信の宛先選択一覧リストの利用について］
この実施の形態の端末１においては、カバーパネル１０１が本体１００に対して開かれた状態にあるデータ通信モードのときに、電子メール機能を実行するためのダイレクトキーＫ８が押下された場合には、電子メール機能が実行され、例えば、端末１のフラッシュメモリ１２４に記憶されている端末１において作成した電子メールの一覧リストが表示される。
【０１０２】
この一覧リストから、電子メールデータの新規作成、作成されて登録されている電子メールデータの表示、修正、削除などを行うようにすることができる。そして、作成した電子メールの一覧リストから電子メールデータの新規作成を実行するようにすると、図６に示す電子メールデータの新規作成画面になる。
【０１０３】
図６は、この実施の形態の端末１において表示される電子メールデータの新規作成画面を説明するための図である。図６に示すように、この電子メールデータの新規作成画面においては、機能表示２０１として、実行されている機能が電子メール機能であることを示す絵記号が表示され、画面の名称表示２０２として、電子メールデータの新規入力画面であることを示す「新規」という文字が表示される。
【０１０４】
また、図６に示す画面の上端部には、［登録］アイコン７０１、［中止］アイコン７０２が表示される。そして、［登録］アイコン７０１を選択することにより、図６の電子メールの入力画面を通じて作成した電子メールデータが端末１の例えばフラッシュメモリ１２４に記録される。また、［中止］アイコン７０２を選択することにより、図６の電子メールの入力画面を通じて作成途中の電子メールデータの作成を中止し、例えば作成された電子メールデータの一覧リストの表示画面に戻ることができるようにされる。
【０１０５】
そして、この電子メールの新規入力画面には、図６に示すように、電子メールを送信する相手先の電子メールアドレスの入力欄（宛先入力欄）７０３、送信元（自機）の電子メールアドレスの表示欄（送信元表示欄）７０４、および、宛先入力欄７０３に入力した宛先に送信する情報と同じ電子メールデータを送信する他の相手先の電子メールアドレスの入力欄（いわゆるカーボンコピー欄）７０５が設けられている。
【０１０６】
また、図６においては、表示されていないが、入力欄７０５の下側には、電子メールの本文入力欄が設けられており、図６に示す画面をスクロールさせることにより、本文入力欄が表示され、電子メールデータ（電子メール本文）の入力が可能にされる。
【０１０７】
また、端末１には、当該端末１のユーザに割り当てられた電子メールアドレスが予め登録するようにされており、送信元表示欄７０４に、この予め登録される自己の電子メールアドレスが自動的に表示される。
【０１０８】
そして、電子メールデータの新規入力画面には、図６に示すように、例えば、ソフトウエアキーボード５０１Ｂが表示され、表示されたソフトウエアキーボードを通じて、宛先入力欄７０３、カーボンコピー欄７０５、本文入力欄へのデータの入力を行うことができるようされる。
【０１０９】
図６に示したソフトウエアキーボード５０１Ｂは、英数入力用のソフトウエアキーボードであり、図４に示した５０音入力用のソフトウエアキーボードと同様に、目的とするキーが表示されている位置のＬＣＤ１０５上のタッチパネル１０６にペン１０７を接触させることにより、当該目的とするキーに対応する処理を実行させたり、当該目的とするキーに割り当てられた文字、数字、記号を入力することができるものである。
【０１１０】
そして、この実施の形態の端末１において、図６に示した宛先入力欄７０３およびカーボンコピー欄７０５に宛先を入力する場合に、図６に示したように、画面に表示されたソフトウエアキーボード５０１Ｂを用いて宛先の電子メールアドレスを直接入力することもできるが、宛先選択リストを表示させ、表示された宛先選択リストから、目的とする宛先を選択することにより、宛先入力欄７０３に宛先を入力することができる。つまり、電子メールアドレスをソフトウエアキーボードを用いて直接入力することなく、宛先入力欄７０３に宛先を入力することができる。
【０１１１】
すなわち、宛先入力欄７０３にペン１０７を接触させることにより、宛先入力欄７０３に宛先の電子メールアドレスの入力を行うようにした後、宛先入力欄７０３の右端に設けられている参照アイコン７０３Ｓの表示位置にタッチパネル１０６にペン１０７を接触させると、図７に示すように、ソフトウエアキーボード５０１Ｂに代えて、画面の下側に、相手先の名前と電子メールアドレスとの一覧表である電子メールアドレスリストが表示される。
【０１１２】
このように、この例では、参照アイコン７０３Ｓが、宛先リスト参照キーの役割を有する。また、この例において、参照アイコン７０３Ｓは、宛先入力欄７０３に対して設けられた参照アイコンであり、電子メールデータを送信する相手先の電子メールアドレスを宛先入力欄７０３に入力するようにした場合にのみ使用できるアイコンである。
【０１１３】
そして、この実施の形態において、参照アイコン７０３Ｓが操作されることにより表示される電子メールアドレスリストは、図７に示すように、名前の五十音の行の先頭文字の表示欄８０１と、通信の相手先の名前を表示する名前表示欄８０２と、通信の相手先の電子メールアドレスを表示する電子メールアドレス表示欄８０３と、表示される各データに対応して設けられるチェック欄８０４からなる。
【０１１４】
この電子メールアドレスリストが、電子メール通信を行う場合の宛先選択一覧リストであり、用いる通信方式に応じて、この場合、端末１は、電子メール通信を用いるようにされているので、この実施の形態の端末１のフラッシュメモリ１２４に登録された電話帳データから、相手先の名前と、電子メールアドレスとが抜き出され、電子メールアドレスリストが形成されて表示される。この電子メールアドレスリストは、例えば、相手先の名前の５０音順に表示される。
【０１１５】
この場合、五十音の各行の先頭に位置するデータには、その表示欄の先頭に、対応する５０音の各行の先頭文字が表示される。図７の電子メールアドレスリストは、あ行から表示された場合を示しており、その先頭のデータには、あ行のデータであることを示す文字「あ」が表示されている。また、各データの表示欄の後部には、後述するように、宛先の選択指示などに用いられるチャック欄が設けられている。
【０１１６】
そして、画面の右端の枠に設けられている上スクロールアイコン２０３、下スクロールアイコン２０４にペン１０７を接触させることにより、上方向あるいは下方向に電子メールアドレスリストの表示をスクロールさせ、電子メールデータを送信する目的とする相手先の名前と電子メールアドレスとを表示させた後、その電子メールアドレスが表示されている位置のタッチパネル上にペン１０７を接触することにより、宛先データを選択指示する。
【０１１７】
選択指示された電子メールアドレスのチェック欄が選択されたデータであることを示す表示に変わり、どのデータが選択されたかを明確に表示することができるようにされている。
【０１１８】
そして、［決定］アイコン８０６の表示位置上のタッチパネル１０６にペン１０７を接触させると、選択指示した電子メールアドレスが宛先の電子メールアドレスとして決定され、宛先入力欄７０３に表示される。この宛先入力欄７０３に表示された電子メールアドレスが電子メールデータを送信する宛先の電子メールアドレスとして用いられる。また、［取消］アイコン８０５を選択した場合には、電子メールアドレスリストを通じての電子メールアドレスの選択処理が取り消され、この例の場合には、図６に示した電子メールの新規作成画面に戻るようにされる。
【０１１９】
また、電子メールアドレスリストは、ジョグダイヤルキー１０９を回動操作することにより、表示を行スクロールさせることもできるようにされている。そして、ジョグダイヤルキー１０９を回動操作して、目的とする相手先の電子メールアドレスを表示させるとともに、目的とする相手先の電子メールアドレスにカーソルを位置付けることにより電子メールアドレスを選択する。そして、ジョグダイヤルキー１０９を押下操作することにより用いる電子メールアドレスを決定して、決定した電子メールアドレスを、宛先入力欄７０３に表示する。この宛先入力欄７０３に表示された電子メールアドレスが用いられて、端末１から電子メールデータが送信される。
【０１２０】
また、カーボンコピー欄７０５に宛先の電子メールアドレスを入力する場合にも、宛先入力欄７０３に宛先の電子メールアドレスを入力する場合と同様にして、宛先選択リストから宛先の電子メールアドレスを入力することができる。
【０１２１】
すなわち、カーボンコピー欄７０５にペン１０７を接触させることにより、カーボンコピー欄７０５に宛先の電子メールアドレスの入力を行うようにした後、カーボンコピー欄７０５の右端に設けられている参照アイコン７０５Ｓにペン１０７を接触させると、図７に示した場合と同様に、電子メールアドレスリストが表示される。
【０１２２】
このように、この例では、参照アイコン７０５Ｓが、宛先リスト参照キーの役割を有する。この例において、参照アイコン７０５Ｓは、カーボンコピー欄７０５に対して設けられた参照アイコンであり、電子メールアドレスをカーボンコピー欄７０５に入力するようにした場合にのみ使用できるアイコンである。
【０１２３】
そして、カーボンコピー欄７０５に対して設けられた参照アイコンを操作して、図７に示した場合と同様に、電子メールアドレスリストを表示させた後、前述したように、上スクロールアイコン２０３、下スクロールアイコン２０４にペン１０７を接触させることにより、電子メールアドレスリストを行スクロールさせて、目的とする宛先の電子メールアドレスを表示させる。
【０１２４】
そして、目的とする電子メールアドレスの表示位置上のタッチパネル１０６にペン１０７を接触させ使用する電子メールアドレス選択し、［決定］アイコン８０６にペン１０７を接触させることにより、選択した電子メールアドレスを発信に用いるように決定すると、選択、決定した電子メールアドレスをカーボンコピー欄７０５に表示することができる。
【０１２５】
また、このカーボンコピー欄７０５には複数の宛先の電子メールアドレスを入力し、表示することができるようにされている。この場合には、上述したように、目的とする電子メールアドレスの選択および決定を繰り返すことにより複数の宛先の電子メールアドレスをカーボンコピー欄７０５に入力することができる。この場合には、各電子メールアドレスがカンマ「，」によって区切られて表示される。
【０１２６】
もちろん、ジョグダイヤルキー１０９を回動操作することにより、目的とする電子メールアドレスを表示させるとともに、カーソルを目的とする電子メールアドレスに位置付けることにより電子メールアドレスを選択した後、ジョグダイヤルキー１０９を押下操作することによりその電子メールアドレスを使用することを決定すると、その決定された宛先データの電子メールアドレスをカーボンコピー欄７０５に入力することができる。
【０１２７】
また、このカーボンコピー欄７０５にペン１０７を接触させることにより、カーボンコピー欄７０５に宛先の電子メールアドレスの入力を行うようにした後、宛先入力欄７０３に宛先の電子メールアドレスを入力する場合と同様に、表示されたソフトウエアキーボード５０１Ｂを通じて電子メールアドレスを直接入力することももちろんできる。
【０１２８】
このように、宛先入力欄７０３、カーボンコピー欄７０５に宛先の電子メールアドレスを入力する場合には、既にフラッシュメモリ１２４に登録されている電話帳データに基づいて形成されて表示される電子メールアドレスリストを通じて、宛先の電子メールアドレスを入力することができる。
【０１２９】
この場合には、電子メールアドレスをソフトウエアキーボードを用いて入力しなくても済むので、電話帳データを構成する情報の１つである電子メールアドレスを正確に端末１に登録さえしておけば、宛先を間違えるなどということもなくい。
【０１３０】
また、前述のように電子メール機能が選択され、宛先入力欄７０３、カーボンコピー欄７０５に宛先の電子メールアドレスの入力を行うために参照アイコン７０３Ｓ、７０５Ｓを選択したときには、電話帳データとして登録されている名前と、電子メールアドレスとからなる電子メールアドレスリストが表示されるので、誤って電話番号やファクシミリ番号を発信に用いる宛先情報として選択してしまうなどの間違いを発生させることもない。また、電話番号やファクシミリ番号などの不要な情報が表示されないので、電子メールを送信しようとする相手先の電子メールアドレスの検索がしやすくなり、簡単かつ迅速に目的とする相手先の電子メールアドレスを検索して入力することができる。
【０１３１】
［ファクシミリ通信の宛先選択一覧リストの利用について］
また、前述したように、この実施の形態の端末１は、ファクシミリを送信することもできるようにされている。この端末１からファクシミリを送信する場合にも、前述の宛先の電子メールアドレスの入力の場合と同様に、ファクシミリを送信する場合の宛先選択リストであるファクシミリ番号リストから目的とする宛先のファクシミリ番号を選択することができるようにされている。
【０１３２】
この実施の形態の端末１においては、カバーパネル１０１が本体１００に対して開かれた状態にあるデータ通信モードにあるときに、メモ機能を実行するためのダイレクトキーＫ４が押下された場合に、メモ機能が実行される。この実施の形態の端末１においては、メモ機能を実行するためのダイレクトキーＫ４を押下するごとに、手書きメモ機能と、タイプメモ機能とが交互に切り換えられ、ユーザの選択に応じて手書きメモ機能あるいはタイプメモ機能を用いて、ファクシミリデータとして送信しようとする情報を入力することができる。
【０１３３】
この実施の形態の端末１は、手書きメモ機能やタイプメモ機能を用いて作成した複数のメモ情報を端末１に登録しておくことができるようにされ、これら作成されて登録されたメモ情報をファクシミリデータとして相手先に送信することができるようにされている。
【０１３４】
そして、端末１に登録したメモ情報をファクシミリデータとして送信しようとする場合には、手書きメモ機能、タイプメモ機能において、ファクシミリデータとして送信しようとするメモ情報を読み出し、これをＬＣＤ１０５に表示してファクシミリ情報として送信するメモ情報かを確認する。
【０１３５】
この場合、メモ情報が表示されたＬＣＤ１０５の表示画面には、ファクシミリ送信というアイコンが表示され、このアイコンを選択することにより、図８に示すファクシミリデータの宛先情報などの入力画面になる。図８は、手書きメモ機能で作成されたメモ情報をファクシミリデータとして送信する場合の画面である。
【０１３６】
そして、図８に示すように、機能表示２０１として、実行されている機能がメモ機能であることを示す絵記号が表示され、画面の名称表示２０２として、手書きメモ機能により作成したメモ情報をファクシミリ送信する場合の宛先情報などの入力画面であることを示す「手書きメモ／ＦＡＸ送信」という文字が表示される。
【０１３７】
また、図８に示す画面の上端部には、［送信］アイコン９０１、［中止］アイコン９０２が表示される。そして、［送信］アイコン９０１を選択することにより、図８のファクシミリデータの宛先情報などの入力画面を通じて指定した宛先にメモ機能により作成したメモ情報をファクシミリデータとして送信するようにされる。また、［中止］アイコン９０２を選択することにより、当該メモ情報をファクシミリデータとして送信することを中止し、例えば、手書きメモ機能により作成したメモ情報の一覧表示画面に戻ることができるようにされる。
【０１３８】
そして、このファクシミリデータの宛先情報などの入力画面には、図８に示すように、ファクシミリデータを送信する相手先のファクシミリ番号の入力欄（宛先入力欄）９０３、送信元（自機）を示す例えばファクシミリ番号などの情報の表示欄（送信元表示欄）９０４、および、ファクシミリデータのタイトルの入力欄９０５が設けられている。
【０１３９】
また、図８に示したように、ファクシミリデータの宛先情報などの入力画面には、図６に示した電子メールデータの新規入力画面と同様に、ソフトウエアキーボード５０１Ｂが表示され、このソフトウエアキーボード５０１Ｂなどを通じて、宛先入力欄９０３やタイトル入力欄９０５へのデータの入力を行うことができるようされる。
【０１４０】
そして、この実施の形態の端末１において、図８に示した宛先入力欄９０３に宛先を入力する場合に、図８に示したように、画面に表示されたソフトウエアキーボード５０１Ｂを用いて宛先のファクシミリ番号を直接入力することもできるが、宛先選択リストを表示させ、表示された宛先選択リストから、目的とする宛先を選択することにより、ファクシミリ番号を直接入力することなく、宛先情報を入力することができる。
【０１４１】
すなわち、宛先入力欄９０３の表示位置上のタッチパネル１０６にペン１０７を接触させることにより、宛先入力欄９０３に宛先のファクシミリ番号の入力を行うようにした後、宛先入力欄９０３の右端に設けられている参照アイコン９０３Ｓの表示位置上のタッチパネル１０６にペン１０７を接触させると、図９に示すように、ソフトウエアキーボード５０１Ｂに代えて、画面の下側に、相手先の名前とファクシミリ番号との一覧表であるファクシミリ番号リストが表示される。
【０１４２】
このように、この例では、参照アイコン９０３Ｓが、宛先リスト参照キーの役割を有する。また、この例において、また、この例において、参照アイコン９０３Ｓは、ファクシミリ情報の宛先入力欄９０３に対して設けられた参照アイコンあり、ファクシミリデータを送信する相手先のファクシミリ番号を宛先入力欄９０３に入力するようにした場合にのみ使用できるアイコンである。
【０１４３】
そして、この実施の形態において、参照アイコン９０３Ｓが操作されることにより表示されるファクシミリ番号リストは、図９に示すように、名前の五十音の行の先頭文字の表示欄１００１と、通信の相手先の名前を表示する名前表示欄１００２と、通信の相手先のファクシミリ番号を表示するファクシミリ番号表示欄１００３と、表示される各データに対応して設けられるチェック欄１００４とからなる。
【０１４４】
このファクシミリ番号リストが、ファクシミリ通信を行う場合の宛先選択一覧リストであり、選択されている通信方式に応じて、この場合にはファクシミリ通信を行うようにされているので、この実施の形態の端末１のフラッシュメモリ１２４に登録された電話帳データから、相手先の名前と、ファクシミリ番号とが抜き出されて、ファクシミリ番号リストが形成され、表示される。このファクシミリ番号リストも、例えば、相手先の名前の５０音順に表示される。
【０１４５】
また、このファクシミリ番号リストの場合にも、五十音の各行の先頭に位置するデータには、その表示欄の先頭に、対応する５０音の各行の先頭文字が表示される。図９のファクシミリ番号リストは、あ行から表示された場合を示しており、その先頭のデータには、あ行のデータであることを示す文字「あ」が表示されている。また、各データの表示欄の後部には、電子メールアドレスリストの場合と同様に、宛先の選択指示されたデータを示す場合などに用いられるチャック欄が設けられている。
【０１４６】
そして、画面の右端の枠に設けられている上スクロールアイコン２０３、下スクロールアイコン２０４にペン１０７を接触させることにより、上方向あるいは下方向に電子メールアドレスリストの表示をスクロールさせ、目的とする宛先の名前、ファクシミリ番号を表示させた後、その目的とする宛先のデータの表示位置上のタッチパネル１０６にペン１０７を接触することにより、ファクシミリ番号を選択指示する。
【０１４７】
そして、［決定］アイコン１００６にペン１０７を接触させると、選択指示したファクシミリ番号が宛先のファクシミリ番号として決定され、宛先入力欄９０３に表示される。この表示されたファクシミリ番号をファクシミリデータの宛先のファクシミリ番号として用いてファクシミリデータが送信される。また、［取消］アイコン１００５を選択した場合には、ファクシミリ番号リストを通じてのファクシミリ番号の選択処理が取り消され、この例の場合には、図８に示した宛先情報などの入力画面に戻るようにされる。
【０１４８】
また、ファクシミリ番号リストは、前述の電子メールアドレスリストと同様に、ジョグダイヤルキー１０９を回動操作することにより、表示を行スクロールさせることができる。そして、ジョグダイヤルキー１０９を回動操作して、目的とする相手先のファクシミリ番号を表示させるとともに、目的とするファクシミリ番号にカーソルを位置付けることによりファクシミリ番号を選択しる。そして、ジョグダイヤルキー１０９を押下操作することにより、選択したファクシミリ番号を発信に用いるファクシミリ番号として決定すると、決定されたファクシミリ番号が宛先入力欄９０３に表示され、この表示されたファクシミリ番号をファクシミリデータの宛先のファクシミリ番号として用いて発信することができるようにされる。
【０１４９】
このように、ファクシミリデータを送信する場合にも、電子メールデータを送信する場合と同様に、宛先入力欄９０３に宛先のファクシミリ番号を入力する場合には、既にフラッシュメモリ１２４に登録されている電話帳データに基づいて形成されて表示されるファクシミリ番号リストを通じて、宛先のファクシミリ番号を選択し、入力することができる。
【０１５０】
この場合には、ファクシミリ番号をソフトウエアキーボード５０１Ｂを用いて入力しなくても済むので、電話帳データを構成する情報の１つであるファクシミリ番号を正確に登録さえしておけば、宛先を間違えるなどということもない。
【０１５１】
また、前述のようにファクシミリ番号を入力する場合であって、参照アイコン９０３Ｓが選択されたときには、端末１は、電話帳データとして登録されている名前とファクシミリ番号とからなるファクシミリ番号リストを形成し、表示するので、電話端末に割り当てられている電話番号や電子メールアドレスを発信に用いる宛先情報として選択してしまうなどの間違いを発生させることもない。また、電話番号や電子メールアドレスなどの不要な情報が表示されないので、ファクシミリデータを送信しようとする相手先のファクシミリ番号の検索がしやすくなる。
【０１５２】
次に、図１０のフローチャートを用いて、通信方式に応じた宛先選択リストを用いた宛先情報の入力操作について説明する。
【０１５３】
図１０に示す処理は、端末１から発信を行う場合に用いる電話番号、ファクシミリ番号、電子メールアドレスなどの入力時に実行される。すなわち、端末１が電話モードでありかつ待ち受け状態にある場合、電子メールデータの宛先入力欄７０３やいわゆるカーボンコピー欄７０５、あるいは、ファクシミリデータの宛先入力欄９０３にペン１０７を接触させることにより、宛先の宛先情報を入力するようにした場合に実行される。
【０１５４】
端末１のシステムコントロール部１２１は、ユーザによる入力操作を待ち（ステップＳ１）、入力操作がされたときには、その操作は、宛先選択リストを表示するための操作か否かを判断する（ステップＳ２）。
【０１５５】
ステップＳ２に判断処理において、宛先選択リストを表示するための操作であると判断したときには、システムコントロール部１２１は、フラッシュメモリ１２４に登録されている電話帳データに基づいて、選択されている通信方式に応じた宛先選択リストを形成して表示する（ステップＳ３）。
【０１５６】
すなわち、このステップＳ３の処理により、選択されている通信方式が電話通信であるときには、図５に示した電話番号リストが形成されて表示される。また、選択されている通信方式が電子メール通信であるときには、図７に示した電子メールアドレスリストが形成されて表示され、選択されている通信方式がファクシミリ通信であるときには、図９に示したファクシミリ番号リストが形成されて表示される。
【０１５７】
そして、端末１は、前述したように、上スクロールアイコン、下スクロールアイコン、［決定］アイコンを用いた、宛先データの選択決定操作、あるいは、ジョグダイヤルキー１０９を回動操作、押下操作することにより行う宛先データの選択決定操作を受け付ける（ステップＳ４）。
【０１５８】
次に、端末１は、［決定］アイコンの選択操作、あるいは、ジョグダイヤルキー１０９の押下操作がされることにより宛先データの決定操作が行われたか否かを判断する（ステップＳ５）。ステップＳ５の判断処理において、決定操作が行われたと判断したときには、選択されて決定された宛先情報を宛先の入力エリアに表示する（ステップＳ６）。
【０１５９】
すなわち、このステップＳ６においては、選択されている通信方式が電話通信であるときには、図５に示した電話番号リストにおいて選択された相手先の電話番号がＬＣＤ窓１０４から見えるＬＣＤ１０５上の表示領域に単独で表示される。また、選択されている通信方式が電子メール通信である場合であって、宛先入力欄７０３に宛先情報を入力しようとしている場合には、図７に示した電子メールアドレスリストから選択された相手先の電子メールアドレスが、宛先入力欄７０３に表示され、カーボンコピー欄７０５に入力しようとしている場合には、カーボンコピー欄７０５に表示される。また、選択されている通信方式がファクシミリ通信であるときには、図９に示したファクシミリ番号リストから選択された相手先のファクシミリ番号入力欄９０３に表示される。
【０１６０】
このようにして、宛先として表示された宛先情報である電話番号、電子メールアドレス、ファクシミリ番号用いて、電話をかけたり、電子メールデータを送信したり、ファクシミリデータを送信することができるようにされ、この図１０に示す処理を終了する。
【０１６１】
また、ステップＳ５の判断処理において、決定操作でないと判断したときには、例えば、［取消］アイコンを選択するなどの、宛先選択リストからの宛先入力の取り消し操作が行われたか否かを判断し（ステップＳ７）、取り消し操作であると判断したときには、宛先情報の入力処理が取り消されたと判断し、この図１０に示す処理を終了しする。また、ステップＳ７の判断処理において、取り消し操作でないと判断したときには、ステップＳ３からの処理を繰り返す。
【０１６２】
また、ステップＳ２に判断処理において、宛先選択リストを表示するための操作でないと判断したときには、システムコントロール部１２１は、［中止］アイコンなどを操作する宛先情報などの入力処理の中止が指示されたか否かを判断し（ステップＳ８）、宛先情報などの入力処理の中止が指示されていないと判断したときには、表示されたソフトウエアキーボードなどを通じた電話番号、電子メールアドレス、ファクシミリ番号の直接入力を受け付ける（ステップＳ５９）。
【０１６３】
また、システムコントロール部１２１は、ステップＳ８の判断処理において、宛先情報などの入力処理の中止が指示されたと判断したときには、図１０に示す処理を終了させて、例えば、宛先情報などの入力画面の前に表示されていた画面に戻るようにされる。
【０１６４】
このように、フラッシュメモリ１２４に登録される電話帳データから、選択されている通信方式に応じた宛先選択リストを形成して表示し、使用しようとする通信方式に応じた宛先情報を簡単かつ迅速に入力することができる。
【０１６５】
なお、前述の実施の形態においては、電話番号リスト、電子メールアドレスリスト、ファクシミリ番号リストを表示した後、表示されたリストから選択した電話番号、電子メールアドレス、ファクシミリ番号を用いて、発信を行うようにするものに限るものではない。
【０１６６】
例えば、電話を掛ける場合に、電話番号リストを表示し、表示された電話番号リストを見ながら、テンキー１０２を通じて、電話を掛けようとする相手先の電話番号を入力することもできる。また、電子メールデータやファクシミリデータを送信する場合にも、例えば、電子メールアドレスリストやファクシミリ番号リストとともに、ソフトウエアキーボード、あるいは、ソフトウエアキーボードのうちの必要最小限のキーを表示して、電子メールアドレスリストやファクシミリ番号リストを見ながら、電子メールアドレスやファクシミリ番号を直接的に端末１に入力するようにすることもできる。
【０１６７】
このように、電話番号リスト、電子メールアドレスリスト、ファクシミリ番号リストを参照しながら、電話番号、電子メールアドレス、ファクシミリ番号などの宛先情報の入力を可能にしておくことにより、ユーザが記憶している宛先情報を直接、テンキーやソフトウエアキーボードを用いて途中まで入力したが、途中から思い出せなくなった場合などに有効である。
【０１６８】
もちろん、電話番号リスト、電子メールアドレスリスト、ファクシミリ番号リストを表示して、目的とする相手先の宛先情報を確認した後に、テンキーを用いて、あるいは、ソフトウエアキーボードを表示するようにして、ユーザ自身が目的とする相手先の宛先情報を直接入力するようにすることもできる。
【０１６９】
また、前述の実施の形態において、電子メールアドレスリスは、電子メールデータを新規に作成して送信する場合に表示するようにしたが、これに限るものではなく、既に作成した電子メールデータの宛先を変更する場合など、宛先の入力変更が可能な場合において、用いる通信方式に応じた宛先選択リストを通じて宛先の入力を行うことができる。
【０１７０】
このように、用いられる通信方式に応じて、宛先選択リストが形成されて表示されるので、比較的に小さな携帯無線通信端末のＬＣＤにも必要な情報だけを効果的に表示するようにすることができる。
【０１７１】
なお、前述の実施の形態においては、電話番号リスト、ファクシミリ番号リスト、電子メールアドレスリストを通信先の名前の五十音順で表示するようにしたが、これに限るものではなく、名前のアルファベット順に電話番号リスト、ファクシミリ番号リスト、電子メールアドレスリスト、宛先選択リストを表示するようにすると共に、アルファベットの予めきめられた飛び飛びの文字を名前の先頭に有する通信先情報から電話番号リスト、ファクシミリ番号リスト、電子メールアドレスリスト、宛先選択リストを表示するようにすることもできる。
【０１７２】
このように、電話番号リスト、ファクシミリ番号リスト、電子メールアドレスリストを携帯無線通信端末に記憶されている名前のアルファベット順に表示する場合には、例えば、電話帳データとして登録する情報の１つに、アルファベット表記による名前を登録しておけばよい。
【０１７３】
また、端末１のテンキー１０２の各数字キーに、五十音の各行を割り当てるようにし、電話番号リスト、電子メールアドレスリス、ファクシミリ番号リストが表示されているときに、テンキー１０２のいづれかのキーが操作した場合には、その操作されたキーに割り当てられた五十音の行から各リストのデータを表示することができる。
【０１７４】
例えば、テンキーの「１」キーに「あ行」、「２」キーに「か行」、「３」キーに「さ行」、「４」キーに「た行」、「５」キーに「な行」…というように５０音の行を割り当てておく。そして、電話番号リストなどの宛先選択リストが「あ行」のデータから表示されている場合であって、「田村△○△」さんの電話番号などの宛先情報を探そうとする場合には、テンキー１０２のうち、た行が割り当てられている「４」キーを押下する。
【０１７５】
このように電話番号リストなどの宛先選択リストが表示されているときに、テンキー１０２のいずれかが押下されたときには、システムコントロール部１２は、電話帳データから押下されたテンキーに割当らている５０音の行に属する名前と宛先情報を抜き出して、指定された５０音の行の名前を有するデータから例えば５０音順に宛先選択リストを表示するようにすることができる。
【０１７６】
また、前述の実施の形態においては、画面に表示されるアイコンに宛先リスト参照キーとしての機能を持たせるようにしたが、宛先リスト参照キーは、アイコンではなく、機械的なボタンキーであってもよい。
【０１７７】
また、電話番号リスト、ファクシミリ番号リスト、電子メールアドレスリスト用のそれぞれを表示させるための機械的なボタンキーやアイコンを設け、それらのボタンキーやアイコンを押したときに、電話帳データから電話番号リスト、ファクシミリ番号リスト、電子メールアドレスリストを作成するためのデータを抽出し、操作されたボタンキーやアイコンに応じた宛先選択リストを作成するようにしてもよい。
【０１７８】
しかし、前述したように、ユーザにより選択された通信方式の各宛先入力画面においてだけ操作可能な宛先リスト参照キーとしての参照アイコンを用いるようにした場合には、情報通信端末がユーザにより選択された通信方式を判別し、ユーザにより選択された通信方式に応じた宛先選択リストを自動的に生成して表示するようにすることができる。
【０１７９】
したがって、ユーザ自身が、用いる通信方式に応じた宛先リスト参照キーを選択して、操作しなくても済むので、宛先リスト参照キーの選択を間違えるなどして、用いる通信方式と異なる通信方式の宛先選択リストを表示してしまうなどの不都合を発生させることもない。
【０１８０】
また、この発明による情報通信端末は、携帯無線通信端末だけでなく、パーソナルコンピュータなどの通信機能を備え、通信方式の異なる通信が可能な情報通信装置に適用することができる。
【０１８１】
【発明の効果】
以上説明したように、請求項１に記載の発明の情報通信端末によれば、異なる通信方式の宛先情報と間違えることなく、また、時間や手間をかけることなく、目的とする相手先の宛先情報を検索し、検索して得た宛先情報を入力して利用することができる。
【０１８２】
また、請求項３に記載の発明の情報通信端末によれば、異なる通信方式の宛先情報を誤って使用することがなく、また、宛先情報自体を一々ユーザが入力することもなく、目的の宛先情報を迅速に検索し、検索して得た宛先情報を用いて目的とする相手先と通信するようにすることができる。
【０１８３】
また、請求項４に記載の発明の情報通信端末によれば、メインの宛先と同じ情報を送信するようにされる１〜複数の他の宛先についても、異なる通信方式の宛先情報を誤って使用することもなく、また、宛先情報自体を一々ユーザが入力することもなく、宛先選択リストから選択された１〜複数の宛先の宛先情報を用いて、メインの宛先に送信した情報と同じ情報を送信するようにすることができる。
【図面の簡単な説明】
【図１】この発明による情報通信端末の一実施の形態の情報通信端末の外観図である。
【図２】この発明による情報通信端末の一実施の形態の情報通信端末を説明するためのブロック図である。
【図３】この発明による情報通信端末の一実施の形態における電話帳リストの表示例を示す図である。
【図４】この発明による情報通信端末の一実施の形態における電話帳機能時の電話帳データの入力、修正、削除処理を行うための画面の例を示す図である。
【図５】この発明による情報通信端末の一実施の形態における電話番号リストの表示例を示す図である。
【図６】この発明による情報通信端末の一実施の形態において、電子メールデータの送信先（宛先）を入力する画面の表示例を説明するための図である。
【図７】この発明による情報通信端末の一実施の形態における電子メールアドレスリストを用いて電子メールアドレスを入力する場合を説明するための図である。
【図８】この発明による情報通信端末の一実施の形態において、ファクシミリデータの送信先（宛先）を入力する画面の表示例を説明するための図である。
【図９】この発明による情報通信端末の一実施の形態におけるファクシミリ番号リストを用いてファクシミリ番号を入力する場合を説明するための図である。
【図１０】この発明による情報通信端末の一実施の形態において、電話番号、電子メールアドレス、ファクシミリ番号などの宛先情報を入力する場合の動作を説明するためのフローチャートである。
【符号の説明】
１…携帯無線通信端末（端末）、１００…携帯無線通信端末本体、１０１…カバーパネル、ＳＷ…スイッチ、１００ＭＣ…マイクロホン（送話器）、１００ＳＰ…スピーカ（受話器）、１０２…テンキー、１０３…アンテナ、１０５…ＬＣＤ、１０６…タッチパネル、１０７…ペン、１０８…キー釦、１０９…ジョグダイヤルキー、１１１…アンテナ、１１２…ＲＦ処理部、１１３…送受信データ処理部、１２１…システムコントロール部、１２２…ＲＯＭ、１２３…ＤＲＡＭ、１２４…フラッシュメモリ、７０３Ｓ…宛先入力欄用参照アイコン（電子メール通信用）、７０５Ｓ…カーボンコピー欄用参照アイコン、９０３Ｓ…宛先入力欄用参照アイコン（ファクシミリ通信用）
【図１】
0003997368.tif 000002
【図２】
0003997368.tif 000003
【図３】
0003997368.tif 000004
【図４】
0003997368.tif 000005
【図５】
0003997368.tif 000006
【図６】
0003997368.tif 000007
【図７】
0003997368.tif 000008
【図８】
0003997368.tif 000009
【図９】
0003997368.tif 000010
【図１０】
0003997368.tif 000011